(57)【特許請求の範囲】
【請求項１】
接続ブロックを含み、前記接続ブロックの右側にサイドブロックが設置され、前記接続ブロックとサイドブロックの間に上下対称の連接棒が固定に設置され、前記接続棒の外表面にスライドブロックがスライドできるように設置され、前記連接ブロックの上端面に駆動モータが固定に設置され、前記駆動モータの出力軸の外表面に第一駆動ベルト車が固定に設置され、前記サイドブロックの上端面に支えブロックが固定に設置され、前記支えブロックの前端面に第一従動プーリが回転できるように設置され、前記第一従動プーリと前記第一駆動ベルト車が同期ベルトによって動力が伝達できるように接続され、同期ベルトが前記スライドブロックと固定され、前記スライドブロックの下端面に回転モータが固定に設置され、前記回転モータの出力軸の下端面にオーバーアームが固定に設置され、前記オーバーアームの下に固定棒が設置され、前記固定棒の上端面に左右対称の釣りブロックが固定に設置され、前記オーバーアームが前記釣りブロックに挿入するかつ前記釣りブロックと引っ掛って掛り合い、前記固定棒の左右端面に左右対称の伝動箱が固定に設置され、前記伝動箱の中に伝動チャンバが固定に設置され、前記伝動チャンバの下に前記伝動箱にある昇降チャンバが設置され、前記昇降チャンバの中に被動歯車が回転できるように設置され、前記被動歯車の右側にドライビングギヤーが設置され、前記釣りブロックを遠離する前記伝動箱の中に上方に開口した開きチャンバが固定に設置され、前記開きチャンバの下端壁に下に伸びる通し棒がスライドできるように設置され、前記通し棒の上端面に頂板が固定に設置され、前記釣りブロックを遠離する前記伝動箱の端面に上下対称のスライド棒が固定に設置され、前記釣りブロックを遠離する前記スライド棒の端面に固定ブロックが固定に設置され、前記釣りブロックを近接する前記固定ブロックの端面に推動シリンダーが固定に設置され、前記釣りブロックに近接する前記推動シリンダーの押し棒の端面にスライドブロックが固定に設置され、前記スライドブロックと前記スライド棒がスライドできるように係合接続され、前記スライドブロックの下端面に翻転モータが固定に設置され、前記伝動チャンバの後端壁に前記伝動箱にある動力チャンバが固定に設置され、前記動力チャンバの後端壁に伝動モータが固定に設置され、前記伝動モータの出力軸が前記動力チャンバに回転できるように貫通するかつ前記昇降チャンバの中に挿入して前記ドライビングギヤーと固定され、前記伝動モータの出力軸の外表面に前記動力チャンバにある第二駆動ベルト車が固定に設置され、前記第二駆動ベルト車の上に第二従動プーリが設置され、前記第二従動プーリの前端に回転棒が固定に設置され、前記回転棒が回転できるように前記動力チャンバを貫通するかつ前記伝動チャンバの中に挿入し、前記回転棒の前端面に回転盤が固定に設置され、前記回転盤の外表面に回転ベルトが包んで設置され、前記回転ベルトが下へ伸びるかつ前記被動歯車及びドライビングギヤーと噛み合い、前記支えブロックの上端面に照明装置が固定に設置され、前記通し棒の下端面に凹みブロックが固定に設置され、前記凹みブロックの上端面に取付けブロックが固定に設置され、前記回転ベルトが前記取付けブロックに挿入して前記取付けブロックと固定され、前記凹みブロックの下端面に下向きの下開きチャンバが固定に設置され、前記下開きチャンバの中に回転軸が回転できるように設置され、前記回転軸が回転できるように前記下開きチャンバを貫通して右へ外部空間に差出、前記回転軸の右端面に嵌めブロックが固定に設置され、前記嵌めブロックの右端面に開口したモータ穴が固定に設置され、前記回転軸に底ブロックが固定に設置され、前記底ブロックの下端面にシリンダーが固定に設置され、前記底ブロックの左右側に前記回転軸と固定する接続棒が左右対称に設置され、前記接続棒の下端面にかご状ネットが固定に設置され、前記かご状ネットに上下に貫通する通しチャンバが固定に設置され、前記かご状ネットに上方に開口した収納チャンバが固定に設置され、前記シリンダーの押し棒が前記収納チャンバの下端壁と固定され、前記接続棒の下に地面に置かれる汚水溝が設置され、前記汚水溝の中に上方に開口した排水チャンバが固定に設置され、前記かご状ネットが前記排水チャンバに挿入し、前記汚水溝の左側にモータ駆動のコンベヤーが設置され、前記汚水溝の右側に地面にある緩衝水槽が設置され、前記通し棒が上に移動した後に前記嵌めブロックと前記翻転モータの出力軸とが向かい合った状態にあり、前記かご状ネットがフィルター型構造ネット構造であり、前記かご状ネットが前記排水チャンバに浸入し、粗大ゴミを前記収納チャンバに収納し、前記コンベヤーが左側の前記かご状ネットの真下にあり、前記排水チャンバの中にいつ止むとなく流れ続く都市汚水が収納され、照明装置が側ブロックを含み、前記側ブロックに上方に開口した箱チャンバが固定に設置され、前記箱チャンバの下端壁に上向きかつ左右対称の糸口溝が連通し設置され、前記箱チャンバの中に接続固定棒が設置され、前記接続固定棒の下端面に左右対称の糸口が固定に設置され、前記糸口が前記糸口溝に挿入して前記糸口溝と突合、前記接続固定棒がボルトによって前記側ブロックと固定され、前記接続固定棒の上端面に警報ランプが固定に設置されることを特徴とする5G通信の都市汚水高度処理システム。
【発明の詳細な説明】
【技術分野】
【０００１】
本発明は汚水処理分野に関し、具体的には、5G通信の都市汚水高度処理システムに関する。
【背景技術】
【０００２】
都市汚水処理においては、汚水処理工場の占める面積が大きく、かつ汚水を処理する過程で一般的には水が富んだ科学雑質を狙って除き、大きめな生活ゴミを有効に回収できず、更にその過程で手順も複雑である。この設備はこの問題を解決できる。
【先行技術文献】
【特許文献】
【０００３】
【特許文献１】中国特許出願公開第105080212号明細書
【発明の概要】
【発明が解決しようとする課題】
【０００４】
本発明の目的は上記の背景技術に提出された問題を解決するための5G通信の都市汚水高度処理システムを提供することにある。
【課題を解決するための手段】
【０００５】
本発明は以下の技術プランで実現する：本発明の5G通信の都市汚水高度処理システムは、接続ブロックを含み、前記接続ブロックの右側にサイドブロックが設置され、前記接続ブロックとサイドブロックの間に上下対称の連接棒が固定に設置され、前記連接棒の外表面にスライドブロックがスライドできるように設置され、前記接続ブロックの上端面に駆動モータが固定に設置され、前記駆動モータの出力軸の外表面に第一駆動ベルト車が固定に設置され、前記サイドブロックの上端面に支えブロックが固定に設置され、前記支えブロックの前端面に第一従動プーリが回転できるように設置され、前記第一従動プーリと前記第一駆動ベルト車が同期ベルトによって動力が伝達できるように接続され、同期ベルトが前記スライドブロックと固定され、前記スライドブロックの下端面に回転モータが固定に設置され、前記回転モータの出力軸の下端面にオーバーアームが固定に設置され、前記オーバーアームの下に固定棒が設置され、前記固定棒の上端面に左右対称の釣りブロックが固定に設置され、前記オーバーアームが前記釣りブロックに挿入するかつ前記釣りブロックと引っ掛って掛り合い、前記固定棒の左右端面に左右対称の伝動箱が固定に設置され、前記伝動箱の中に伝動チャンバが固定に設置され、前記伝動チャンバの下に前記伝動箱にある昇降チャンバが設置され、前記昇降チャンバの中に被動歯車が回転できるように設置され、前記被動歯車の右側にドライビングギヤーが設置され、前記釣りブロックを遠離する前記伝動箱の中に上方に開口した開きチャンバが固定に設置され、前記開きチャンバの下端壁に下に伸びる通し棒がスライドできるように設置され、前記通し棒の上端面に頂板が固定に設置され、前記釣りブロックを遠離する前記伝動箱の端面に上下対称のスライド棒が固定に設置され、前記釣りブロックを遠離する前記スライド棒の端面に固定ブロックが固定に設置され、前記釣りブロックを近接する前記固定ブロックの端面に推動シリンダーが固定に設置され、前記釣りブロックに近接する前記推動シリンダーの押し棒の端面にスライドブロックが固定に設置され、前記スライドブロックと前記スライド棒がスライドできるように係合接続され、前記スライドブロックの下端面に翻転モータが固定に設置され、前記伝動チャンバの後端壁に前記伝動箱にある動力チャンバが固定に設置され、前記動力チャンバの後端壁に伝動モータが固定に設置され、前記伝動モータの出力軸が前記動力チャンバに回転できるように貫通するかつ前記昇降チャンバの中に挿入して前記ドライビングギヤーと固定され、前記伝動モータの出力軸の外表面に前記動力チャンバにある第二駆動ベルト車が固定に設置され、前記第二駆動ベルト車の上に第二従動プーリが設置され、前記第二従動プーリの前端に回転棒が固定に設置され、前記回転棒が回転できるように前記動力チャンバを貫通するかつ前記伝動チャンバの中に挿入し、前記回転棒の前端面に回転盤が固定に設置され、前記回転盤の外表面に回転ベルトが包んで設置され、前記回転ベルトが下へ伸びるかつ前記被動歯車及びドライビングギヤーと噛み合い、前記支えブロックの上端面に照明装置が固定に設置される。
【０００６】
更の技術プランとして、前記通し棒の下端面に凹みブロックが固定に設置され、前記凹みブロックの上端面に取付けブロックが固定に設置され、前記回転ベルトが前記取付けブロックに挿入して前記取付けブロックと固定され、前記凹みブロックの下端面に下向きの下開きチャンバが固定に設置され、前記下開きチャンバの中に回転軸が回転できるように設置され、前記回転軸が回転できるように前記下開きチャンバを貫通して右へ外部空間に差出、前記回転軸の右端面に嵌めブロックが固定に設置され、前記嵌めブロックの右端面に開口したモータ穴が固定に設置され、前記回転軸に底ブロックが固定に設置され、前記底ブロックの下端面にシリンダーが固定に設置され、前記底ブロックの左右側に前記回転軸と固定する接続棒が左右対称に設置され、前記接続棒の下端面にかご状ネットが固定に設置され、前記かご状ネットに上下に貫通する通しチャンバが固定に設置され、前記かご状ネットに上方に開口した収納チャンバが固定に設置され、前記シリンダーの押し棒が前記収納チャンバの下端壁と固定され、前記接続棒の下に地面に置かれる汚水溝が設置され、前記汚水溝の中に上方に開口した排水チャンバが固定に設置され、前記かご状ネットが前記排水チャンバに挿入し、前記汚水溝の左側にモータ駆動のコンベヤーが設置され、前記汚水溝の右側に地面にある緩衝水槽が設置される。
【０００７】
更の技術プランとして、前記通し棒が上に移動した後に前記嵌めブロックと前記翻転モータの出力軸とが向かい合った状態にある。
【０００８】
更の技術プランとして、前記かご状ネットがフィルター型構造ネット構造であり、前記かご状ネットが前記排水チャンバに浸入し、粗大ゴミを前記収納チャンバに収納する。
【０００９】
更の技術プランとして、前記コンベヤーが左側の前記かご状ネットの真下にある。
【００１０】
更の技術プランとして、前記排水チャンバの中にいつ止むとなく流れ続く都市汚水が収納される。
【００１１】
更の技術プランとして、照明装置が側ブロックを含み、前記側ブロックに上方に開口した箱チャンバが固定に設置され、前記箱チャンバの下端壁に上向きかつ左右対称の糸口溝が連通し設置され、前記箱チャンバの中に接続固定棒が設置され、前記接続固定棒の下端面に左右対称の糸口が固定に設置され、前記糸口が前記糸口溝に挿入して前記糸口溝と突合、前記接続固定棒がボルトによって前記側ブロックと固定され、前記接続固定棒の上端面に警報ランプが固定に設置される。
【発明の効果】
【００１２】
本発明の有益効果は：本発明が初期状態にある時、前記駆動モータ、回転モータ、翻転モータ、推動シリンダー、シリンダー及び伝動モータが作動停止に状態にあり、前記スライドブロックが前記連接棒の中心部位にあり、前記かご状ネットが前記排水チャンバにあり、これにより上記の構造が初期状態にある時に初期位置にあり、後続の作動中に調整でき、設備の作動協調性を有効に高める。
【００１３】
設備が作動する時に、前記排水チャンバの中の生活汚水がかご状ネットを流れ、粗大ごみを前記収納チャンバに残し、前記伝動モータが作動下後で第二前記駆動ベルト車を駆動して回転させ、前記第一駆動ベルト車が回転した後で前記第二従動プーリを駆動して回転させ、前記回転棒と前記伝動モータの出力軸が回転した後で前記回転盤とドライビングギヤーを駆動して回転させ、前記回転ベルトが前記かご状ネットを引いて上へ移動して排水チャンバから離れさせ、それによって前記モータ穴が前記翻転モータの出力軸の相対的位置にあり、前記推動シリンダーが作動した後で前記スライドブロックを駆動して左へ移動させ、前記翻転モータの出力軸と前記モータ穴が引っ掛って掛り合い、前記駆動モータが作動した後で前記第一駆動ベルト車を駆動して回転させ、前記スライドブロックを左へ移動させ、ゴミの満ちた前記かご状ネットを前記コンベヤーの上に位置させ、前記翻転モータとシリンダーが断続的に作動し、前記接続棒が前記かご状ネットを駆動して前後に揺れさせ、同時に前記かご状ネットのフィルターが前記シリンダーの断続的な作動のもとで上下に揺れ、ゴミを前記コンベヤーの上に落とし、前記コンベヤーが作動した後でゴミを運輸し、これによりフィルター式を採用して粗大ごみを収集し、設備の信頼性を有効に高める。
【００１４】
設備が連続に作動し続く時、右側の前記かご状ネットがリンク構造のもとで前記緩衝水槽の中に挿入してゴミを収集し、左側の前記かご状ネットがリンク構造のもとで前記排水チャンバの中に挿入し、これにより設備の連続作動性を高める。
【００１５】
本発明設備は構造が簡単で、使用が便利で、本設備がフィルター型汚水処理の方式を採用して、粗大ごみの回収問題を有効に解決し、簡易式処理を採用して設備の作動効率を有効に高める。
【図面の簡単な説明】
【００１６】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１７】
【図１】図1は本発明の5G通信の都市汚水高度処理システムの全体構造概略図である。
【図２】図2は図1のA方向の概略図である。
【図３】図3は図１のBの拡大概略図である。
【図４】図４は図１のC方向の概略図である。
【図５】図５は図２のD-D方向の概略図である。
【発明を実施するための形態】
【００１８】
本発明書に開示した全ての特徴、或いは開示した全ての方法、過程中のステップは、互いに排斥する特徴或いはステップ以外に、いかなる方式で組み合わせることができる。
【００１９】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００２０】
図1〜5が示すように、本発明の5G通信の都市汚水高度処理システムは、接続ブロック100を含み、前記接続ブロック100の右側にサイドブロック108が設置され、前記接続ブロック100とサイドブロック108の間に上下対称の連接棒103が固定に設置され、前記連接棒103の外表面にスライドブロック104がスライドできるように設置され、前記接続ブロック100の上端面に駆動モータ102が固定に設置され、前記駆動モータ102の出力軸の外表面に第一駆動ベルト車101が固定に設置され、前記サイドブロック108の上端面に支えブロック106が固定に設置され、前記支えブロック106の前端面に第一従動プーリ107が回転できるように設置され、前記第一従動プーリ107と前記第一駆動ベルト車101が同期ベルトによって動力が伝達できるように接続され、同期ベルトが前記スライドブロック104と固定され、前記スライドブロック104の下端面に回転モータ105が固定に設置され、前記回転モータ105の出力軸の下端面にオーバーアーム109が固定に設置され、前記オーバーアーム109の下に固定棒110が設置され、前記固定棒110の上端面に左右対称の釣りブロック111が固定に設置され、前記オーバーアーム109が前記釣りブロック111に挿入するかつ前記釣りブロック111と引っ掛って掛り合い、前記固定棒110の左右端面に左右対称の伝動箱112が固定に設置され、前記伝動箱112の中に伝動チャンバ113が固定に設置され、前記伝動チャンバ113の下に前記伝動箱112にある昇降チャンバ200が設置され、前記昇降チャンバ200の中に被動歯車201が回転できるように設置され、前記被動歯車201の右側にドライビングギヤー202が設置され、前記釣りブロック111を遠離する前記伝動箱112の中に上方に開口した開きチャンバ115が固定に設置され、前記開きチャンバ115の下端壁に下に伸びる通し棒121がスライドできるように設置され、前記通し棒121の上端面に頂板114が固定に設置され、前記釣りブロック111を遠離する前記伝動箱112の端面に上下対称のスライド棒119が固定に設置され、前記釣りブロック111を遠離する前記スライド棒119の端面に固定ブロック117が固定に設置され、前記釣りブロック111を近接する前記固定ブロック117の端面に推動シリンダー118が固定に設置され、前記釣りブロック111に近接する前記推動シリンダー118の押し棒の端面にスライドブロック116が固定に設置され、前記スライドブロック116と前記スライド棒119がスライドできるように係合接続され、前記スライドブロック116の下端面に翻転モータ120が固定に設置され、前記伝動チャンバ113の後端壁に前記伝動箱112にある動力チャンバ300が固定に設置され、前記動力チャンバ300の後端壁に伝動モータ302が固定に設置され、前記伝動モータ302の出力軸が前記動力チャンバ300に回転できるように貫通するかつ前記昇降チャンバ200の中に挿入して前記ドライビングギヤー202と固定され、前記伝動モータ302の出力軸の外表面に前記動力チャンバ300にある第二駆動ベルト車301が固定に設置され、前記第二駆動ベルト車301の上に第二従動プーリ304が設置され、前記第二従動プーリ304の前端に回転棒303が固定に設置され、前記回転棒303が回転できるように前記動力チャンバ300を貫通するかつ前記伝動チャンバ113の中に挿入し、前記回転棒303の前端面に回転盤203が固定に設置され、前記回転盤203の外表面に回転ベルト204が包んで設置され、前記回転ベルト204が��へ伸びるかつ前記被動歯車201及びドライビングギヤー202と噛み合い、前記支えブロック106の上端面に照明装置が固定に設置される。
【００２１】
有益的には、その中に、前記通し棒121の下端面に凹みブロック401が固定に設置され、前記凹みブロック401の上端面に取付けブロック402が固定に設置され、前記回転ベルト402が前記取付けブロック402に挿入して前記取付けブロック402と固定され、前記凹みブロック401の下端面に下向きの下開きチャンバ403が固定に設置され、前記下開きチャンバ403の中に回転軸400が回転できるように設置され、前記回転軸400が回転できるように前記下開きチャンバ403を貫通して右へ外部空間に差出、前記回転軸400の右端面に嵌めブロック405が固定に設置され、前記嵌めブロック405の右端面に開口したモータ穴404が固定に設置され、前記回転軸400に底ブロック406が固定に設置され、前記底ブロック406の下端面にシリンダー407が固定に設置され、前記底ブロック406の左右側に前記回転軸400と固定する接続棒122が左右対称に設置され、前記接続棒122の下端面にかご状ネット123が固定に設置され、前記かご状ネット123に上下に貫通する通しチャンバ124が固定に設置され、前記かご状ネット123に上方に開口した収納チャンバ125が固定に設置され、前記シリンダー407の押し棒が前記収納チャンバ125の下端壁と固定され、前記接続棒122の下に地面に置かれる汚水溝129が設置され、前記汚水溝129の中に上方に開口した排水チャンバ128が固定に設置され、前記かご状ネット123が前記排水チャンバ128に挿入し、前記汚水溝129の左側にモータ駆動のコンベヤー127が設置され、前記汚水溝129の右側に地面にある緩衝水槽130が設置される。
【００２２】
有益的には、その中に、前記通し棒121が上に移動した後に前記嵌めブロック405と前記翻転モータ120の出力軸とが向かい合った状態にある。
【００２３】
有益的には、その中に、前記かご状ネット123がフィルター型構造ネット構造であり、前記かご状ネット123が前記排水チャンバ128に浸入し、粗大ゴミを前記収納チャンバ125に収納する。
【００２４】
有益的には、その中に、前記コンベヤー127が左側の前記かご状ネット123の真下にある。
【００２５】
有益的には、その中に、前記排水チャンバ128の中にいつ止むとなく流れ続く都市汚水が収納される。
【００２６】
有益的には、その中に、照明装置が側ブロック800を含み、前記側ブロック800に上方に開口した箱チャンバ805が固定に設置され、前記箱チャンバ805の下端壁に上向きかつ左右対称の糸口溝804が連通し設置され、前記箱チャンバ805の中に接続固定棒802が設置され、前記接続固定棒802の下端面に左右対称の糸口803が固定に設置され、前記糸口803が前記糸口溝804に挿入して前記糸口溝804と突合、前記接続固定棒802がボルトによって前記側ブロック800と固定され、前記接続固定棒802の上端面に警報ランプ801が固定に設置される。
【００２７】
本発明が初期状態にある時、前記駆動モータ102、回転モータ105、翻転モータ120、推動シリンダー118、シリンダー407及び伝動モータ302が作動停止に状態にあり、前記スライドブロック104が前記連接棒103の中心部位にあり、前記かご状ネット123が前記排水チャンバ128にある。
【００２８】
設備が作動する時に、前記排水チャンバ128の中の生活汚水がかご状ネット123を流れ、粗大ごみを前記収納チャンバ125に残し、前記伝動モータ302が作動下後で第二前記駆動ベルト車301を駆動して回転させ、前記第一駆動ベルト車301が回転した後で前記第二従動プーリ304を駆動して回転させ、前記回転棒303と前記伝動モータ302の出力軸が回転した後で前記回転盤203とドライビングギヤー202を駆動して回転させ、前記回転ベルト204が前記かご状ネット123を引いて上へ移動して排水チャンバ128から離れさせ、それによって前記モータ穴404が前記翻転モータ120の出力軸の相対的位置にあり、前記推動シリンダー118が作動した後で前記スライドブロック116を駆動して左へ移動させ、前記翻転モータ120の出力軸と前記モータ穴404が引っ掛って掛り合い、前記駆動モータ102が作動した後で前記第一駆動ベルト車101を駆動して回転させ、前記スライドブロック104を左へ移動させ、ゴミの満ちた前記かご状ネット123を前記コンベヤー127の上に位置させ、前記翻転モータ120とシリンダー407が断続的に作動し、前記接続棒122が前記かご状ネット123を駆動して前後に揺れさせ、同時に前記かご状ネット123のフィルターが前記シリンダー407の断続的な作動のもとで上下に揺れ、ゴミを前記コンベヤー127の上に落とし、前記コンベヤー127が作動した後でゴミを運輸する。
【００２９】
設備が連続に作動し続く時、右側の前記かご状ネット123がリンク構造のもとで前記緩衝水槽130の中に挿入してゴミを収集し、左側の前記かご状ネット123がリンク構造のもとで前記排水チャンバ128の中に挿入する。
【００３０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本発明は5G通信の都市汚水高度処理システムを開示した。
【解決手段】接続ブロックを含み、前記接続ブロックの右側にサイドブロックが設置され、前記接続ブロックとサイドブロックの間に上下対称の接続レバーが固定に設置され、前記接続レバーの外表面にスライドブロックがスライドし設置され、前記接続ブロックの上端面に駆動電機が固定に設置され、前記駆動電機の輸出軸の外表面に第一駆動ベルト車が固定に設置され、前記サイドブロックの上端面に支えブロックが固定に設置され、前記支えブロックの前端面に第一従動プーリが回転し設置され、前記第一従動プーリと前記第一駆動ベルト車が同期ベルトによって動力で接続され、本発明設備は構造が簡単で、使用が便利で、本設備がフィルター型汚水処理の方式を採用して、粗大ごみの回収問題を有効に解決し、簡易式処理を採用して設備の作動効率を有効に高める。
【選択図】図１【図１】
0006557821.tif 000002
【図２】
0006557821.tif 000003
【図３】
0006557821.tif 000004
【図４】
0006557821.tif 000005
【図５】
0006557821.tif 000006